(57)【特許請求の範囲】
【請求項１】
起動スイッチと、被験者の測定部位を締め付けるカフと、前記カフと接続する回転体と、前記回転体を回転させ、前記測定部位を前記カフで締め付けるよう駆動するモータと、エアを供給するコンプレッサと、表示部と、前記カフの内圧を測定する圧力検出器と、前記エアを排気する排気弁と、制御回路とを備えた血圧計で、前記起動スイッチの操作により前記制御回路を作動させて前記モータに第１の電圧を印加して前記モータを駆動させ、前記モータの駆動電流が所定値に達したとき、前記モータの駆動を停止した後、前記コンプレッサのエアを前記カフに導くとともに、前記モータに第１の電圧よりも小の第２の電圧を印加して前記モータを駆動させるとともに前記カフの内圧が所定圧以上に達したときに前記モータの駆動を停止し、前記排気弁を徐々に開放させる過程で被験者の最高血圧、最低血圧を取得するよう制御する血圧計。
【請求項２】
起動スイッチと、表示部と、該起動スイッチと該表示部とを収容する第１の構造体と、被験者の測定部位を締め付けるカフと、前記カフと接続する回転体と、前記回転体を回転させ、前記測定部位を前記カフで締め付けるよう駆動するモータと、エアを供給するコンプレッサと、前記カフの内圧を測定する圧力検出器と、前記エアを排気する排気弁と、制御回路とを備えた第２の構造体とからなり、第１の構造体と第２の構造体とは一体または分離されても電気的に接続され、前記起動スイッチの操作により前記制御回路を作動させて前記モータに第１の電圧を印加して前記モータを駆動させ、前記モータの駆動電流が所定値に達したとき、前記モータの駆動を停止した後、前記コンプレッサのエアを前記カフに導くとともに、前記モータに第１の電圧よりも小の第２の電圧を印加して前記モータを駆動させるとともに前記カフの内圧が所定圧以上に達したときに前記モータの駆動を停止し、前記排気弁を徐々に開放させる過程で被験者の最高血圧、最低血圧を取得するよう制御する血圧計。
【発明の詳細な説明】
【技術分野】
【０００１】
本発明は、被験者の血圧を測定する際に被験部の周囲に配したカフにエアを送って被験
部を加圧して血圧を測定する血圧計に関する。
【背景技術】
【０００２】
特許文献１は、カフの巻付時には、モータの回転により巻取機構が回転し、巻取機構にロープが巻き取られ、これに連れてロープの一端を取付けてあるカフ及びバネ板の自由端部が、カフ支持部の外側に向かって円筒状に引っ張られる。カフの巻付けが終了すると、ロック機構が作動して巻取機構に係合し、巻取機構の逆回転が阻止され、巻取機構の逆回転によるロープの緩み（即ちカフの緩み）が防止される。次いで、カフ内に空気が圧送され、上腕がカフで圧迫された後、カフ内の空気が排気されると共に最高血圧及び最低血圧等が測定される。
【先行技術文献】
【特許文献】
【０００３】
【特許文献１】特開平６−０１４８８９号公報
【発明の概要】
【発明が解決しようとする課題】
【０００４】
特許文献１の血圧計ではカフの巻付けが終了するとロック機構を作動して巻取機構に係合し、巻取機構の逆回転が阻止され、巻取機構の逆回転によるロープの緩み（即ちカフの緩み）が防止される機構を設けているがそのような機構を設けることはコストが高くなり、売価として高価になる欠点を有する。さらにそのような機構を設けるとそのためにスペースが必要となり大型化する欠点を有する。
【課題を解決するための手段】
【０００５】
請求項１は、起動スイッチと、被験者の測定部位を締め付けるカフと、前記カフと接続する回転体と、前記回転体を回転させ、前記測定部位を前記カフで締め付けるよう駆動するモータと、エアを供給するコンプレッサと、表示部と、前記カフの内圧を測定する圧力検出器と、前記エアを排気する排気弁と、制御回路とを備えた血圧計で、前記起動スイッチの操作により前記制御回路を作動させて前記モータに第１の電圧を印加して前記モータを駆動させ、前記モータの駆動電流が所定値に達したとき、前記モータの駆動を停止した後、前記コンプレッサのエアを前記カフに導くとともに、前記モータに第１の電圧よりも小の第２の電圧を印加して前記モータを駆動させるとともに前記カフの内圧が所定圧以上に達したときに前記モータの駆動を停止し、前記排気弁を徐々に開放させる過程で被験者の最高血圧、最低血圧を取得するよう制御する血圧計を提供するものである。
【０００６】
請求項２は、起動スイッチと、表示部と、該起動スイッチと該表示部とを収容する第１の構造体と、被験者の測定部位を締め付けるカフと、前記カフと接続する回転体と、前記回転体を回転させ、前記測定部位を前記カフで締め付けるよう駆動するモータと、エアを供給するコンプレッサと、前記カフの内圧を測定する圧力検出器と、前記エアを排気する排気弁と、制御回路とを備えた第２の構造体とからなり、第１の構造体と第２の構造体とは一体または分離されても電気的に接続され、前記起動スイッチの操作により前記制御回路を作動させて前記モータに第１の電圧を印加して前記モータを駆動させ、前記モータの駆動電流が所定値に達したとき、前記モータの駆動を停止した後、前記コンプレッサのエアを前記カフに導くとともに、前記モータに第１の電圧よりも小の第２の電圧を印加して前記モータを駆動させるとともに前記カフの内圧が所定圧以上に達したときに前記モータの駆動を停止し、前記排気弁を徐々に開放させる過程で被験者の最高血圧、最低血圧を取得するよう制御する血圧計を提供するものである。
【発明の効果】
【０００７】
上述したように、従来例に比べてカフの巻取機構の逆回転が阻止され、巻取機構の逆回転によるロープの緩み（即ちカフの緩み）が防止される機構を設けていないのでコストが安価で、さらにそのような緩み防止機構を設けないのでスペース的に大型化することなく操作性のよい血圧計を提供することができる。
【図面の簡単な説明】
【０００８】
【図１】本発明の血圧計を示す概念図
【図２】本発明の血圧計のカフ部を示す図
【図３】本発明の血圧計の実施例を示すブロック図
【図４】本発明の血圧計における実施例を構成する各要素の作動を示すフローチャート
【図５】本発明の血圧計における実施例を構成する各要素の信号のタイミングチャート
【図６】本発明における血圧計の被験者の腕を締め付けるカフを駆動するモータを停止させてコンプレッサを作動させるときにカフが不用意に移動するのを防止するための回路を示す回路図
【発明を実施するための形態】
【０００９】
図１は、本発明の血圧測定システムの概念図を示す。
【００１０】
１はカフを収容するカフ装置を、２は不図示の被験者の腕を挿入して加圧するカフを、３は被験者の腕、手首を載置する載置台を示す。４はカフ装置１と５で示す血圧計制御装置とを接続する信号線を示す。６は被験者の血圧の測定を開始する血圧測定開始スイッチ、７は測定中に測定動作を停止する停止スイッチ、８は測定した血圧の結果を示す表示部を示す。
【００１１】
図２は、本発明に用いられるカフの構造の一例を示す図である。
【００１２】
１２はエアをカフ２に供給するパイプを示す。カフ２の一部２Ａは１３で示す環と接続している。
【００１３】
１４は固定部を示し、固定部１４から張り出した部分１４Ａにカフ２が固定されている。１５は歯付ベルトを示し、環１３に固定されている。１６はモータ、１７はモータ軸を示し１８はギアを示している。同様に１９はギア軸を、２０はギアを示している。
【００１４】
２１は被験者の被測定部を示し、モータ軸１７が回転すると、ギア１８．２０が回転するとともに、歯付ベルト１５が移動して、環１３が回転することにより環１３に固定されたカフ２が回転し、カフ２の一部２Ａが固定部１４Ａと環１３の間の隙間１３Ａに入り込み被験者の腕２１を締め付けるカフ２で加圧する。後述するようにモータ１６に流れる電流が所定値以上になるとモータの回転は停止し、別設のコンプレッサのエアがカフ２に入り、被験者の腕２１を締め付けて、カフ２に設けられた圧力センサが最高血圧より高い圧が検出されるとコンプレッサによるエアの送給を停止し、圧を減圧して最高血圧、最低血圧を検出する。
【００１５】
図３は、本発明の血圧計の実施例を示すブロック図である。
【００１６】
本発明の血圧計は、血圧計制御装置５とカフ装置１とそれらを接続する電線から構成されている。３１は、本発明の血圧計の動作の制御をつかさどる制御回路を示し、制御回路３１には血圧測定開始スイッチ６と血圧測定動作を停止する停止スイッチ７が接続している。
【００１７】
カフ２で被験者の被測定部を加圧するコンプレッサは、３２で示され、制御回路３１とコンプレッサ３２は３６Ａで示す信号線で接続し、制御回路３１は被験者の血圧を表示する表示器８と３６Ｂで示す信号線で接続している。
【００１８】
被験者の被測定部を加圧するために被測定部を締め付けるカフ２を移動させるモータ１６と制御回路３１とは３６Ｃで接続する信号線で接続している。
【００１９】
被験者の被測定部を加圧するカフ２の圧力を検出する、３３で示すカフ圧回路は３６Ｄで示す信号線と制御回路３１と接続し、エアが導かれて加圧されたカフ２のエアを排気する、３４で示すカフ排気弁は３６Ｅで示す信号線で接続している。
【００２０】
１６Ａはモータに流れる電流を検出するモータ電流検出部、１６Ｂはモータ電流をデジタル値に変換するＡ／Ｄ変換するＡ／Ｄ変換回路を示し、１６Cはモータ駆動電圧制御回路を示し、図６で詳細に説明する。
【００２１】
コンプレッサ３２とカフ２とは３７で示す配管で接続され、カフに蓄えられたエアを排気するカフ排気弁３４は配管３７から分岐された３８で示す配管と接続し、カフの圧を測定するカフ圧検出回路は３３で示されていて３９で示す配管を介して配管３８と接続している。
【００２２】
図４は、本発明の血圧計における実施例を構成する各要素の作動を示すフローチャートを示し、図５は本発明の血圧計における実施例を構成する各要素の信号のタイミングチャートを示し、図５の下部には図４に示されたステップＳ１〜Ｓ１０を示している。
【００２３】
Ｓ１は、血圧測定開始スイッチ６をオンすると制御回路３１が作動して、Ｓ２に進み、信号線３６Ｃを介して、後述する図６に示す回路で述べるが、モータ１６に第１の電圧、大きい電圧を印加してオンして駆動し、Ｓ３に進む。
【００２４】
Ｓ３では、モータ１６の駆動電流を、モータ１６に接続するモータ電流検出部１６Ｂで検出してＡ／Ｄ変換器１６Ｃでデジタル値に変換して、所定値以上の電流が検出されたことが検出されると、Ｓ４に進み、制御回路３１に信号線３６Ｆを介して伝達して制御回路３１より信号線３６Ｃを介してモータ１６に第1の電圧の印加を停止し、Ｓ５に進む。
【００２５】
Ｓ５では、コンプレッサ３２をオンするとともに、カフ２がカフ圧のためにモータ１６が停止しているため加圧方向にあるカフが戻らないように、後述する図６に示す回路で述べるが、モータ１６に先の電圧よりも小さな第２の電圧を印加し、Ｓ６に進み、カフ圧が被験者の血圧よりも所定以上の圧に達したときに、加圧を停止し、Ｓ７に進む。
【００２６】
Ｓ７では、モータ１６をオフするとともに、カフ排気弁３４を作動させてカフの圧を徐々に減圧し、Ｓ８に進んで、コロトコフ音が発生したときに最高血圧とし、コロトコフ音が消滅したときに最低血圧とし、最高血圧、最低血圧が検出されると、Ｓ９に進んでコンプレッサ３２をオフし、Ｓ１０で血圧の検出を終了する。
【００２７】
図６は、本発明における血圧計の被験者の腕を締め付けるカフを駆動するモータを停止させてコンプレッサを作動させるときにカフが不用意に移動するのを防止するための回路を示す回路図を示す。
【００２８】
１６Ｃで示すモータ駆動電圧制御回路の端子６が信号によりトランジスタＴＲのベースがＨになるとトランジスタＴＲはオフしリレーＲＳが不作動となる。リレーＲＳはオフ状態となる（リレーＲＳの接点状態は図示のとおり）。
【００２９】
モータ駆動電圧制御回路１６Ｃの端子２のＭｏｔｏｒ  ＤｒｉｖｅｒＭ＋がＭｏｔｏｒＭ＋に、端子３のＭｏｔｏｒ  ＤｒｉｖｅｒＭ−にＭｏｔｏｒＭ−の電圧が印加して腕を締め付ける。
【００３０】
トランジスタＴＲのベースがＬになるとトランジスタＴＲはオンしリレーＲＳは切り換わり、モータ−Ｍ−は接地され、弱い電圧であるＶｃｃの電圧が可変三端子レギュレータＲＥＧを介してＭｏｔｏｒＭ＋の電圧が印加して弱い力で腕を締め付ける。その電圧の調整は可変抵抗ＡＤＪＲで行なう。
【００３１】
モータＭ＋の電圧V０は、抵抗Ｒ１、可変抵抗Ｒ２、可変抵抗を流れる電流をiADJ、抵抗R1の端子電圧をVREFとすると、
V０＝VREF×（１＋Ｒ２／Ｒ１）＋Ｒ２×iADJ
となり、カフの圧力が上がって圧力に負けてカフ部が広がってしまうことを防ぐよう、カフが動く直前のところにレギュレータの出力を調整する。
【００３２】
これまで最高血圧、最低血圧を求める際にコロトコフ音を検出するリバロッチコロトコフ・コロトコフ検出方式を用いて説明したが、圧脈波が急激に大きくなったときのカフ圧を「最高血圧」、急激に小さくなったときのカフ圧を「最低血圧」とするオシロメトリック測定法を用いてもよいことはいうまでもない。
【符号の説明】
【００３３】
１・・・・・・・・・・・・・カフ装置
２・・・・・・・・・・・・・カフ
３・・・・・・・・・・・・・腕載置台
４・・・・・・・・・・・・・信号線
５・・・・・・・・・・・・・血圧計制御装置
６・・・・・・・・・・・・・血圧測定開始スイッチ
７・・・・・・・・・・・・・停止スイッチ
８・・・・・・・・・・・・・表示部
９・・・・・・・・・・・・・信号線
１２・・・・・・・・・・・・パイプ
１３・・・・・・・・・・・・環
１４・・・・・・・・・・・・固定部
１５・・・・・・・・・・・・歯付ベルト
１６・・・・・・・・・・・・モータ
１７・・・・・・・・・・・・モータ軸
１８・・・・・・・・・・・・ギア
１９・・・・・・・・・・・・ギア軸
２０・・・・・・・・・・・・ギア
２１・・・・・・・・・・・・被実験者の被測定部
３１・・・・・・・・・・・・制御回路
３２・・・・・・・・・・・・コンプレッサ
３３・・・・・・・・・・・・カフ圧検出回路
３４・・・・・・・・・・・・カフ排気弁
【図１】
0005659347.tif 000002
【図２】
0005659347.tif 000003
【図３】
0005659347.tif 000004
【図４】
0005659347.tif 000005
【図５】
0005659347.tif 000006
【図６】
0005659347.tif 000007